(57)【要約】【課題】コンロバーナによる加熱の停止やコンロバーナの火力の低減などを行うことを必要とせずに、手動操作部（操作手段）の温度上昇を抑制することが可能で、使い勝手の良好なガスコンロを提供する。【解決手段】天板１２の下面に接するように配設され、天板の下面に接した面側である上側と、逆の面側である下側の温度差によって起電力を生じ、かつ、上側と下側の温度差が大きくなるほど大電力を発生する発電体５０と、発電体から供給される電力によって駆動され、ガスコンロ本体２０の前部の吸入孔から吸入した空気を、排出孔５５に至るように、ガスコンロ本体の内部を通流させる送風機６０とを備えた構成とする。  発電体５０を、天板の下面に、スピンゼーベック効果を有する発電体材料を含有する塗料を塗布することにより形成する。【選択図】図１
2020085388.tif 000002
【特許請求の範囲】
【請求項１】
ガスコンロ本体と、
下面の少なくとも下記発電体の上面が接する領域が絶縁体から形成され、前記ガスコンロ本体の上面を覆うように配設される天板と、
燃料ガスを燃焼させて火炎を生じさせる炎孔を前記天板の上方に備えるコンロバーナと、
使用者の手指により操作される操作部と、
前記ガスコンロ本体の前部に配設され、前記ガスコンロ本体の前方の空気を前記ガスコンロ本体の内部に吸入する吸入孔と、
前記ガスコンロ本体の上部に配設され、前記ガスコンロ本体の内部の空気を排出するための排出孔と、
前記天板の下面に接するように配設され、前記天板の下面に接した面側を上側、前記天板の下面に接した面側とは逆の面側を下側とした場合に、上側と下側の温度差によって起電力を生じ、かつ、上側と下側の温度差が大きくなるほど大電力を発生する発電体と、
前記発電体から供給される電力によって駆動される送風機であって、前記吸入孔から空気を前記ガスコンロ本体の内部に吸入するとともに、吸入した空気を、前記排出孔に至るように前記ガスコンロ本体の内部を通流させる送風機と
を具備することを特徴とするガスコンロ。
【請求項２】
前記発電体が、前記天板の下面に、スピンゼーベック効果を有する発電体材料を含有する塗料を塗布することにより形成された塗膜であることを特徴とする請求項１記載のガスコンロ。
【請求項３】
前記ガスコンロ本体内には、調理物を収納して加熱調理を行うグリル庫と、前記天板の下面と前記グリル庫の上面との離間距離が他の箇所より大きい領域であるグリル庫・天板離間領域とが設けられており、
前記発電体となる前記塗膜の少なくとも一部が、前記グリル庫・天板離間領域に配設されていること
を特徴とする請求項２記載のガスコンロ。
【発明の詳細な説明】
【技術分野】
【０００１】
本発明は、ガスコンロに関し、詳しくは、ガスコンロ本体の上面を覆うように天板が配設された構造を有するガスコンロに関する。
【背景技術】
【０００２】
ガスコンロは、通常、例えば、コンロバーナの点火、消火、火力調整などを手動で行う操作部（手動操作部）を備えている。
【０００３】
そして、特許文献１には、天板上（ガスコンロ上面）に配設された手動操作部（操作手段）の温度を検知して、その温度の情報を制御手段（加熱制御手段）に伝達する温度検知手段を備え、手動操作部（操作手段）の温度が上昇した場合に、コンロバーナ（加熱手段）による加熱が行われないように構成されたガスコンロ（ガス調理装置）が開示されている。
【０００４】
この特許文献１のガスコンロにおいては、上述のように、天板上に手動操作部を配置するようにしているので、操作性の向上を図ることができる。
【０００５】
また、特許文献１のガスコンロにおいては、手動操作部の温度が上昇した場合に、加熱手段（コンロバーナ）による加熱動作を停止させるようにしているので、高温の手動操作部に使用者が不用意に触れてしまうという不都合を回避することができる。
【先行技術文献】
【特許文献】
【０００６】
【特許文献１】特開２００６−３１７０６６号公報
【発明の概要】
【発明が解決しようとする課題】
【０００７】
しかしながら、特許文献１に記載されたガスコンロの場合、手動操作部（操作手段）の温度が上昇した場合に、加熱手段（コンロバーナ）による加熱が行われないようにしていることから、使用者の意図する火力を維持して、速やかに、良好な調理を行うことができなくなるおそれがあり、改善の余地があるのが実情である。
【０００８】
本発明は、上記の課題を解決するものであり、コンロバーナによる加熱の停止やコンロバーナの火力の低減などを行うことを必要とせずに、手動操作部（操作手段）の温度上昇を抑制することが可能で、使い勝手の良好なガスコンロを提供することを目的とする。
【課題を解決するための手段】
【０００９】
上記の目的を達成するために、本発明のガスコンロは、
ガスコンロ本体と、
下面の少なくとも下記発電体の上面が接する領域が絶縁体から形成され、前記ガスコンロ本体の上面を覆うように配設される天板と、
燃料ガスを燃焼させて火炎を生じさせる炎孔を前記天板の上方に備えるコンロバーナと、
使用者の手指により操作される操作部と、
前記ガスコンロ本体の前部に配設され、前記ガスコンロ本体の前方の空気を前記ガスコンロ本体の内部に吸入する吸入孔と、
前記ガスコンロ本体の上部に配設され、前記ガスコンロ本体の内部の空気を排出するための排出孔と、
前記天板の下面に接するように配設され、前記天板の下面に接した面側を上側、前記天板の下面に接した面側とは逆の面側を下側とした場合に、上側と下側の温度差によって起電力を生じ、かつ、上側と下側の温度差が大きくなるほど大電力を発生する発電体と、
前記発電体から供給される電力によって駆動される送風機であって、前記吸入孔から空気を前記ガスコンロ本体の内部に吸入するとともに、吸入した空気を、前記排出孔に至るように前記ガスコンロ本体の内部を通流させる送風機と
を具備することを特徴としている。
【００１０】
本発明のガスコンロにおいては、前記発電体が、前記天板の下面に、スピンゼーベック効果を有する発電体材料を含有する塗料を塗布することにより形成された塗膜であることが好ましい。
【００１１】
また、前記ガスコンロ本体内には、調理物を収納して加熱調理を行うグリル庫と、前記天板の下面と前記グリル庫の上面との離間距離が他の箇所より大きい領域であるグリル庫・天板離間領域とが設けられており、
前記発電体となる前記塗膜の少なくとも一部が、前記グリル庫・天板離間領域に配設されていること
が好ましい。
【発明の効果】
【００１２】
本発明のガスコンロは、天板の下面に接するように配設され、天板の下面に接した面側である上側と、逆の面側である下側の温度差によって起電力を生じ、かつ、上側と下側の温度差が大きくなるほど大電力を発生する発電体と、発電体から供給される電力によって駆動される送風機であって、ガスコンロ本体の前部の吸入孔から吸入した空気を、排出孔に至るように、ガスコンロ本体の内部を通流させる送風機とを備えているので、天板の温度上昇によって、天板の下面に配設された発電体による発電量（発生電力）が増加し、発電体の発電量（発生電力）が増加すると、その電力で駆動される送風機による送風量が増大して天板の温度上昇が抑制されることになる。
【００１３】
その結果、火力の減少や加熱の停止などの措置を講じることを必要とせずに、天板の温度上昇を抑制することが可能になり、使い勝手の良いガスコンロを提供することができる。
【００１４】
さらに、発電体の発電量（発生電力）が増加すると、その電力で駆動される送風機による送風量が増大し、発電体の下側が冷却され、上側との温度差が大きくなり、それだけ発電体の発電量（発生電力）を大きくする（大きく保つ）ことが可能になる点でも有意義である。
【００１５】
本発明のガスコンロにおいては、天板の下面に塗布された塗膜によって発電体を構成するようにした場合、スピンゼーベック効果を有する発電体を含む塗料を天板に塗布することにより、容易に本発明のガスコンロを実現することが可能になり、有意義である。
【００１６】
また、グリル庫本体内には、調理物を収納して加熱調理を行うグリル庫と、天板の下面とグリル庫の上面との離間距離が他の箇所より大きい領域であるグリル庫・天板離間領域とを備えており、発電体となる塗膜の少なくとも一部が、グリル庫・天板離間領域に配設されるように構成した場合、グリル庫による加熱調理が行われたときにも、クリル庫からの熱によって発電体である塗膜下面（発電体の下側）の温度が上昇することが抑制され、塗膜上面（発電体の上側）と塗膜下面（発電体の下側）との温度差が小さくなってしまうことを回避して、発電量（発電電力）の低下を抑制することが可能になる。
【図面の簡単な説明】
【００１７】
【図１】本発明の一実施形態にかかるガスコンロを示す平面図である。
【図２】本発明の一実施形態にかかるガスコンロを示す正面図である。
【図３】本発明の一実施形態にかかるガスコンロが備える発電体の構成を示す図である。
【図４】本発明の一実施形態にかかるガスコンロが備える発電体の構成および原理を説明する斜視図である。
【図５】本発明の一実施形態にかかるガスコンロの発電体の配設態様の一例を示す図である。
【発明を実施するための形態】
【００１８】
［実施形態］
以下、本発明の実施形態を示して、その特徴とするところをさらに詳しく説明する。
【００１９】
本発明の一実施形態にかかるガスコンロＡ（図１、図２参照）は、キッチンカウンタに設けた設置用開口に落とし込んで取り付けられる、いわゆるドッロプイン方式に構成されたガスコンロである。
【００２０】
以下、図１および図２を参照して、本実施形態にかかるガスコンロＡの基本構成について説明した後、本実施形態にかかるガスコンロの特徴的な構成について説明する。
【００２１】
＜ガスコンロの基本構成＞
本実施形態のガスコンロＡは、図１に示すように、ガスコンロ本体２０と、ガスコンロ本体２０の上面の開口を覆う天板１２とを備えている。
【００２２】
また、ガスコンロＡは、図１に示すように、３つのコンロバーナ１０（１０ａ、１０ｂ、１０ｃ）を備えている。３つのコンロバーナ１０はいずれもブンゼン式のガスバーナであり、２つのコンロバーナ１０ａ、１０ｂは、天板１２の前方側の左右に配設され、残りの１つのコンロバーナ１０ｃは、天板１２の後方に配設されている。なお、ガスコンロＡを構成する各コンロバーナ１０（１０ａ、１０ｂ、１０ｃ）は、それぞれ天板１２から上方に、燃料ガスを燃焼させて火炎を生じさせる炎孔１１（詳しくは炎孔１１を備えたバーナヘッド）が露出するような態様で配設されている。
【００２３】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００２４】
さらに、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出することができるように構成されている。
【００２５】
また、ガスコンロＡは、ガスコンロ本体２０の内部にグリル（グリル庫）Ｇを備えており、天板１２の後方側（奥側）（使用者に近い側が前方側、その逆側が後方側（奥側）となる）には、グリル調理の排気を排出するためのグリル排気孔２１が設けられており、グリル排気孔２１上にはカバー２１ａが配設されている。
【００２６】
また、天板１２の前方側（手前側）で、左右方向の中央には、使用者が手指によって三つのコンロバーナ１０（１０ａ、１０ｂ、１０ｃ）の点火や消火、火力調整などの操作を行う操作部３０が配置されている。なお、操作部３０には、特に図示しないが、点火や消火、火力調整のための操作ボタンが配設されている。なお、操作部３０は操作ボタンを備えた構成のものに限られるものではなく、例えば、回転式の操作つまみを備えている構成とすることも可能である。
【００２７】
また、本実施形態にかかるガスコンロＡは、平面視において操作部３０の周囲を囲繞する枠体４０を備えている（図１参照）。
【００２８】
この枠体４０は、天板１２に設けた装着孔１５に嵌入される態様で、天板１２に装着されている。
【００２９】
＜ガスコンロの特徴的構成＞
次に、本実施形態にかかるガスコンロの特徴的構成について説明する。
【００３０】
本実施形態にかかるガスコンロＡにおいて、天板１２として、例えば絶縁材料であるガラスを用いて形成した天板が用いられている。
【００３１】
そして、天板１２の下面に接して発電体５０が配設されている。この発電体５０は、天板１２の下面に接した面側を上側、天板１２の下面に接した面側とは逆の面側を下側とした場合に、上側と下側の温度差によって起電力を生じ、かつ、上側と下側の温度差が大きくなるほど大電力を発生するように構成されている。
【００３２】
本実施形態における発電体５０はスピンゼーベック素子を利用したものであり、図３、図４に示すように、天板１２の裏面側に上面が接合された磁性絶縁体５１と、この磁性絶縁体５１の下面に接するように配設された金属層（本実施形態では、Ｐｔ薄膜）５２を備えており、磁性絶縁体５１は磁化されている。
【００３３】
また、金属層５２の下面の両端側には、一対の電極５３ａ、５３ｂが形成されており、この電極５３ａ、５３を介して電力が取り出されるように構成されている。
【００３４】
さらに説明すると、本実施形態において、発電体５０は、天板１２の下面に磁性絶縁体粉末ペーストを塗布して磁性絶縁体５１を形成するとともに、磁性絶縁体５１の表面にＰｔ粉末ペーストを塗布して金属層（金属薄膜）５２を形成し、磁性絶縁体５１に直流磁場を印加することにより、磁性絶縁体５１を磁化する方法で形成されている。なお、磁性絶縁体５１は図４に示すように、磁性絶縁体５１の厚み方向に直交する方向（図４における矢印Ｘの方向）に磁化されている。
【００３５】
本実施形態における発電体５０は、磁化された磁性絶縁体５１に対し、その上側（上面側）から下側（下面側）に向かって温度が低くなる態様の温度勾配が生じるように、上方の熱源（天板１２（図３参照））から熱が印加され、図４に矢印Ｚで示す方向（発電体５０の厚み方向）に熱流が生じると、磁性絶縁体５１において、熱流と垂直の方向（図４に矢印Ｙで示す方向）に電流が流れるように構成されている。なお、図４では天板１２（図３参照）の図示を省略している。
【００３６】
さらに、本実施形態のガスコンロＡは、ガスコンロ本体２０の前部（前面）に配設された複数の吸入孔５４（図２）から吸入した空気を、ガスコンロ本体２０の内部の発電体５０の下面に沿って通流させた後、ガスコンロ本体２０の上部に配設された排出孔５５（図１）から排出させる電動の送風機６０（図１参照）を備えている。
【００３７】
なお、排出孔５５は、グリル（グリル庫）Ｇからの調理排気を排出するためのグリル排気孔２１（図１）の両横に設けられている（図１参照）。
【００３８】
そして、本実施形態にかかるガスコンロＡは、一対の発電体５０（５０ａ、５０ｂ）と、一対の送風機６０（６０ａ、６０ｂ）とを備えており、一方の発電体５０ａからの電流により一方の送風機６０ａが駆動され、他方の発電体５０ｂからの電流により他方の送風機６０ｂが駆動されるように構成されている。
【００３９】
発電体５０は、天板１２からの熱を十分に受ける位置に配設されていることが好ましく、通常は、平面視でコンロバーナ１０の配設されている位置に近い領域に配設されていることが望ましい。
【００４０】
また、送風機６０は、吸入孔５４（図２）から吸入した空気を、発電体５０の下面側に送り込むことが可能な位置であって、高温になりにくい位置に配設されていることが望ましい。すなわち、コンロバーナ１０からの熱を十分に受にくい位置に配設されていることが好ましく、通常は、平面視でコンロバーナ１０の配設されている位置から離れた領域に配設されていることが望ましい。
【００４１】
なお、本発明のガスコンロにおいて、発電体５０の配設数に制約はなく、単一であっても、３つ以上であってもよい。
【００４２】
また、送風機６０の配設数についても、特に制約はなく、単一であっても、３つ以上であってもよい。
【００４３】
また、本実施形態のガスコンロＡは、ガスコンロ本体２０の内部に、加熱調理を行うグリル（グリル庫）Ｇ（図１、図２）を備えている。
【００４４】
そして、図５に示すように、ガスコンロ本体２０の内部には、天板１２の下面とグリル庫Ｇの上面との離間距離（すなわち、天板１２の下面からグリル庫Ｇまでの垂直方向の距離）Ｌが他の箇所より大きい領域であるグリル庫・天板離間領域ＬＧを備えている。
【００４５】
本実施形態においては、図５に示すように、ガスコンロ本体２０内に配設されれるグリル庫Ｇの左側の肩部Ｇ１と、右側の肩部Ｇ２とが傾斜した形状に構成されており、この左側と右側の肩部Ｇ１、Ｇ２と天板１２の下面との間の領域がグリル庫・天板離間領域ＬＧを構成している。
【００４６】
天板１２の下面に塗膜（磁性絶縁体５１および金属層５２）を設けることにより形成された発電体５０は、その一部が、グリル庫・天板離間領域ＬＧに領域内に配設されている。
【００４７】
本実施形態のガスコンロＡは、上述のように構成されているので、コンロバーナ１０の使用による天板１２の温度上昇によって、発電体５０を上側（上面側）から下側（下面側）、すなわち、天板１２から発電体５０を構成する金属層（金属薄膜）５２に向かう方向（発電体５０の厚みの方向）に流れる熱流が増加すると、天板１２の下面に配設された発電体５０による発生電力が増加し、送風機６０に多くの電流が供給されるため、送風機６０による送風量が多くなり、天板１２の温度上昇が抑制される。その結果、火力の減少や加熱の停止を行わなくても、天板１２の温度上昇を抑制して、操作部３０が高温になって使用者に不快感を与えることを防止することが可能な、使い勝手の良いガスコンロを実現することができる。
【００４８】
また、発電体５０による電力で駆動される送風機６０の送風量が多くなると、天板１２の下面に配設された発電体５０の下側（下面側）の温度が低下し、発電体５０を上から下（天板１２から金属膜（金属薄膜）５２に向かう方向）に流れる熱流が増加するので、発電体５０の発電量が増加する。そのため、送風機６０による送風量がさらに多くなって天板１２の温度上昇をより効果的に抑制することができる。
【００４９】
また、上述のように、発電体５０を構成する絶縁性磁性体１と金属層（金属薄膜）５２とを、いわゆる塗工法により形成するようにしているので、絶縁性磁性体１と金属層（金属薄膜）５２をとなる塗工材料を天板に塗布することで、容易に発電体５０を構成することが可能になり、コストを削減することができる。
【００５０】
また、発電体を塗工法により形成することで、天板１２の下面の領域を有効に利用することが可能になり、ガスコンロＡの平面面積に対する発電量を増やすことが可能になる。
【００５１】
また、発電体５０を、天板１２の下面とグリル庫Ｇの上面との離間距離Ｌが他の箇所より大きい領域であるグリル庫・天板離間領域ＬＧに正対する領域内に配設するようにしているので、グリル庫による加熱調理が行われたときにも、発電体５０の下面側の温度上昇が抑制され、発電電力の低下を抑制することが可能になり、本発明をより実効あらしめることができる。
【００５２】
また、上記実施形態では、天板１２として絶縁性のガラスから形成された天板１２を用いているが、天板本体を金属などの導電性材料から形成し、表面にガラスや琺瑯などの絶縁性材料を配設した構造のものを用いることも可能である。また、下面の、発電体５０が配設される領域のみをガラスや琺瑯などの絶縁性材料でコーティングした構造のものを用いることも可能である。
【００５３】
なお、上記実施形態では発電体５０として、スピンゼーベック素子を利用した発電体を用いているが、本発明においては、発電体として、種々の熱電変換素子を用いることが可能であり、周知の従来型のゼーベック素子を利用した熱電変換素子を用いることもできる。
ただし、本発明においては、スピンゼーベック素子を利用した熱電変換素子（発電体）を用いることが好ましい。
【００５４】
すなわち、従来のゼーベック素子を用いた熱電変換素子の場合、熱起電力を大きくするために、素子内でn型とp型半導体のブロックを複数個直列に接続した複雑な構造を作製する必要がある。これに対して、スピンゼーベック素子を用いた発電体５０の場合、起電力が金属層（金属薄膜）５２の面内方向に発生する。  そして、その起電力を大きくするためには、電流取り出し用の電極５３ａ、５３ｂ間の距離を長くとるだけでよく、従来のゼーベック素子の場合のような複雑な構造を作製する必要がなく、発電体の面積（上記実施形態では塗布面積）を大きくするだけで、発生電力を増大することができる。これらの点を考慮すると、本発明においては、発電体５０として、スピンゼーベック素子を用いることが好ましい。
【００５５】
なお、上記実施形態では、操作部３０が天板１２上に配設されている場合を例にとって説明したが、操作部３０がガスコンロ本体２０の前面に配設されている場合にも、天板１２の温度上昇を抑制することにより、操作部３０が高温になって、使用者に不快感を与えることを防止することが可能になる。
【００５６】
発明は、さらにその他の点においても上記実施形態に限定されるものではなく、本発明の範囲内において種々の変形を加えることが可能である。
【符号の説明】
【００５７】
Ａ、Ａ１    ガスコンロ
１０（１０ａ、１０ｂ、１０ｃ）    コンロバーナ
１１        炎孔
１２        天板
１３        五徳
１４        温度センサ
１５        装着孔
１５ａ      装着孔の内周面
２０        ガスコンロ本体
２１        グリル排気孔
２１ａ      排気カバー
３０        操作部
４０        枠体
４０ａ      枠体の外周面
４０ｂ      枠体の上端部
４０ｃ      枠体の周壁部
４０ｃ１    枠体の後方側の周壁部
５０（５０ａ、５０ｂ）        発電体
５１        絶縁磁性体
５２        金属層（金属薄膜）
５３ａ、５３ｂ    電極
５４        吸入孔
５５        排出孔
６０（６０ａ、６０ｂ）        送風機  
Ａ          ガスコンロ
Ｇ          グリル（グリル庫）
Ｇ１        グリルの左側の肩部
Ｇ２        グリルの右側の肩部
Ｌ          天板の下面とグリル庫の上面との離間距離
ＬＧ        グリル庫・天板離間領域  
【図１】
2020085388.tif 000003
【図２】
2020085388.tif 000004
【図３】
2020085388.tif 000005
【図４】
2020085388.tif 000006
【図５】
2020085388.tif 000007